(57)【要約】【課題】  遊技媒体の預け入れ情報の確認を容易とし、また、適切なサービスを行うことを可能とする。【解決手段】  遊技場１に設置されユーザー認証情報の入力によりメダル等の遊戯媒体の預かり及び払出が可能な預かり払出装置３，５，・・・と、ユーザー認証情報及び遊戯媒体の預け入れ情報を取得して記憶するウェブ・サーバ１３と、遊技場１を識別するための２次元バー・コードと、遊技場１のウェブ・ページと、ウェブ・ページを表示可能な携帯電話１１とを備え、携帯電話１１は、２次元バー・コードを読み取ることでＵＲＬを取得すると共にＩＤ，ＰＷの入力によりウェブ・サーバ１３で記憶しているＩＤ，ＰＷと比較し認証されたとき携帯電話１１に表示されるウェブ・ページに遊戯媒体の預け入れ情報を表示させることを特徴とする。【選択図】  図１
2007075153.tif 000002
【特許請求の範囲】
【請求項１】
遊技場に設置されユーザー認証情報の入力によりメダル等の遊戯媒体の預かり及び払出が可能な預かり払出装置と、
前記ユーザー認証情報及び遊戯媒体の預け入れ情報を取得して記憶するウェブ・サーバと、
前記遊技場を識別するための識別コードと、
前記遊技場のウェブ・ページと、
前記ウェブ・ページを表示可能な携帯端末とを備え、
前記携帯端末は、前記識別コードを読み取ることでＵＲＬを取得すると共にユーザー認証情報の入力により前記ウェブ・サーバで記憶しているユーザー認証情報と比較し認証されたとき前記携帯端末に表示されるウェブ・ページに前記遊戯媒体の預け入れ情報を表示させる
ことを特徴とする遊戯媒体預け入れモニター・システム。
【請求項２】
請求項１記載の遊戯媒体預け入れモニター・システムであって、
前記識別コードは、二次元バーコードである
ことを特徴とする遊戯媒体預け入れモニター・システム。
【請求項３】
請求項１又は２記載の遊戯媒体預け入れモニター・システムであって、
前記ウェブ・サーバは、前記遊技場のコマーシャルを記憶し又は期限管理情報を作成し、
前記携帯端末に、前記コマーシャル又は期限管理情報を送信可能である
ことを特徴とする遊戯媒体預け入れモニター・システム。
【発明の詳細な説明】
【技術分野】
【０００１】
本発明は、携帯電話等を用いてメダル預け入れ情報をモニター可能な遊戯媒体預け入れモニター・システムに関する。
【背景技術】
【０００２】
従来、各遊技場、例えばゲーム・センターに、遊戯媒体であるメダルを用いた遊技機があり、ゲーム終了後に残ったメダルをメダル預かり払出装置に預け入れ、再度の来場時に預け入れたメダルをメダル預かり払出装置から払出を受けてメダル・ゲームを行わせるシステムがある。
【０００３】
かかるシステムでは、メダルの預入時にメダル預かり払出装置にユーザー認証情報として例えばＩＤ（IDENTIFICATION），ＰＷ（PASS WORD）の入力を行い、払出時に入力されたＩＤ，ＰＷと記憶されているＩＤ，ＰＷとが一致し個人認証ができたとき、メダルの払出を行うようにしている。
【０００４】
しかし、このようなシステムでは、ユーザーが預け入れたメダルの情報を確認する場合には、ゲーム・センター側にユーザーの個人情報を申告してもらわなければならず、確認が煩雑になるという問題があった。
【０００５】
また、預け入れたメダルが零になると、ユーザーとの繋がりが無くなり、その後の適切なサービスが行い難くなるという問題があった。
【０００６】
【特許文献１】特開２０００−６１１２４号公報
【発明の開示】
【発明が解決しようとする課題】
【０００７】
解決しようとする問題点は、遊技媒体の預け入れ情報の確認が煩雑であり、また、預け入れた遊技媒体が零になったとき、その後の適切なサービスが行い難くなる点である。
【課題を解決するための手段】
【０００８】
本発明は、遊技媒体の預け入れ情報の確認を容易とし、また、適切なサービスを行うことを可能とするために、遊技場に設置されユーザー認証情報の入力によりメダル等の遊戯媒体の預かり及び払出が可能な預かり払出装置と、前記ユーザー認証情報及び遊戯媒体の預け入れ情報を取得して記憶するウェブ・サーバと、
前記遊技場を識別するための識別コードと、前記遊技場のウェブ・ページと、
前記ウェブ・ページを表示可能な携帯端末とを備え、前記携帯端末は、前記識別コードを読み取ることでＵＲＬを取得すると共にユーザー認証情報の入力により前記ウェブ・サーバで記憶しているユーザー認証情報と比較し認証されたとき前記携帯端末に表示されるウェブ・ページに前記遊戯媒体の預け入れ情報を表示させることを最も主要な特徴とする。
【発明の効果】
【０００９】
本発明の遊戯媒体預け入れモニター・システムは、遊技場に設置されユーザー認証情報の入力によりメダル等の遊戯媒体の預かり及び払出が可能な預かり払出装置と、前記ユーザー認証情報及び遊戯媒体の預け入れ情報を取得して記憶するウェブ・サーバと、前記遊技場を識別するための識別コードと、前記遊技場のウェブ・ページと、前記ウェブ・ページを表示可能な携帯端末とを備え、前記携帯端末は、前記識別コードを読み取ることでＵＲＬを取得すると共にユーザー認証情報の入力により前記ウェブ・サーバで記憶しているユーザー認証情報と比較し認証されたとき前記携帯端末に表示されるウェブ・ページに前記遊戯媒体の預け入れ情報を表示させるため、携帯端末により識別コードを読み取らせ、ウェブ・ページを表示させて遊戯媒体の預け入れ情報を容易に確認することが可能になる。
【００１０】
また、遊技場側は、携帯端末のアドレスを取得することができ、その後のサービスを適切に行わせることができる。
【発明を実施するための最良の形態】
【００１１】
遊技媒体の預け入れ情報の確認を容易とし、また、適切なサービスを行うという目的を、携帯端末を利用して実現した。
【実施例１】
【００１２】
［遊戯媒体預け入れモニター・システム］
図１は、本発明の実施例に係る遊戯媒体預け入れモニター・システムの概念図である。
【００１３】
図１のように、遊戯場１は、店舗Ａ、店舗Ｂ、・・・と複数存在している。各店舗Ａ，Ｂ，・・・の構成は同一であり、店舗Ａについて説明すると、メダル遊技機の他に、例えば複数のメダル預かり払出装置３，５，・・・、中継ユニット７、識別コードとして２次元バーコード（ＱＲコード）９が備えられている。
【００１４】
前記メダル預かり払出装置３，５，・・・は、遊戯媒体であるメダルを用いてメダル遊技機によりゲームをした後、残ったメダルを預け入れ、再度の来場時に預け入れたメダルの払出を受けてゲームを可能とするものである。メダルの預入時には、店舗Ａ、店舗Ｂ、・・・から会員番号が与えられると共に該会員番号が、メダル預かり払出装置３，５，・・・に記憶される。メダルの預け入れは、まず、会員番号の入力により１ユーザーが特定され、該ユーザーがユーザー認証情報としてＩＤ，ＰＷの入力を行なうことで完了する。入力されたＩＤ，ＰＷは、会員番号と共にメダル預かり払出装置３，５，・・・に記憶される。払出時には、会員番号の入力と共にＩＤ，ＰＷを入力すると記憶されているＩＤ，ＰＷと比較され、ＩＤ，ＰＷの一致により個人認証ができたとき、メダルの払出を行うようにしている。
【００１５】
なお、メダル預かり払出装置３，５，・・・は、単一の構成にすることもできる。
【００１６】
前記中継ユニット７は、前記複数のメダル預かり払出装置３，５，・・・に対し有線又は無線によりＬＡＮ接続されている。
【００１７】
前記２次元バー・コード（ＱＲコード）９は、店舗Ａ，Ｂ，・・・を識別する携帯端末である携帯電話１１により読み取らせるもので、例えば店舗Ａ，Ｂ，・・・毎に備えられている。なお、２次元バー・コード（ＱＲコード）９は、店舗Ａ，Ｂ，・・・外、において店舗Ａ，Ｂ，・・・の広告等に表示させておくことも可能である。この場合は、店舗Ａ，Ｂ，・・・外において携帯電話１１により２次元バー・コード（ＱＲコード）９を読み取らせることができる。
【００１８】
前記各店舗Ａ，Ｂ，・・・の中継ユニット７は、ウェブ・サーバ１３に有線又は無線によりネットワーク接続されている。
【００１９】
前記携帯電話１１は、例えば「オサイフケイタイ」であり、決済処理ができると共に、前記メダル預かり払出装置３，５，・・・に記憶されている会員番号と同一の会員番号が書き込まれている。
【００２０】
前記ウェブ・サーバ１３は、各店舗Ａ、店舗Ｂ、・・・の各メダル預かり払出装置３，５，・・・のメダル預け入れ情報が集められて記憶されている。ウェブ・サーバ１３は、預かり期限等の期限管理を行う。また、ウェブ・サーバ１３は、
遊技場１の各店舗Ａ、店舗Ｂ、・・・毎のコマーシャル、ウェブ・ページを記憶している。ウェブ・ページには、各店舗Ａ、店舗Ｂ、・・・毎のＵＲＬ（Uniform Resource Locators）によりアクセス可能である。
【００２１】
［システムの動作］
ユーザーは、店舗Ａ、店舗Ｂ、・・・でメダルを用いてメダル遊技機によりゲームをした後、残ったメダルを預け入れ、再度の来場時に預け入れたメダルの払出を受けてゲームを行うことができる。メダルの預入時には、メダル預かり払出装置３，５，・・・にＩＤ，ＰＷの入力を行い、払出時に入力されたＩＤ，ＰＷ，会員番号等と記憶されているＩＤ，ＰＷ，会員番号等とが一致し個人認証ができたとき、メダルの払出が行なわれる。
【００２２】
前記メダル預かり払出装置３，５，・・・のメダル預け入れ情報は、ウェブ・サーバ１３に任意又は定期的に集められ記憶される。
【００２３】
ここで、図２は、ユーザー・ログインのフロー・チャート、図３は、個人認証及び情報送信のフローチャートである。
【００２４】
ユーザーがメダルの預け入れ情報を確認するときは、図２のように店舗Ａ、店舗Ｂ、・・・のウェブ・ページにログインする。
【００２５】
まず、ステップＳ１では、「２次元バー・コードの読み取り」が実行される。ユーザーは、携帯電話１１により、店舗Ａ、店舗Ｂ、・・・において２次元バー・コード（ＱＲコード）９を読みとらせる。２次元バー・コード（ＱＲコード）９の読み取りによりステップＳ２へ移行する。
【００２６】
ステップＳ２では、「店舗の専用ＵＲＬのダウン・ロード」が実行される。ダウン・ロードされたＵＲＬは、ユーザーが操作している携帯電話１１のディスプレイに表示される。
【００２７】
ステップＳ３では、「ＩＤ，ＰＷの入力」を行う。ユーザーは、携帯電話１１に表示されたＵＲＬにログ・インする場合、メダル預かり払出装置３，５，・・・に用いたＩＤ，ＰＷを使用する。ログイン・インに際しては、携帯電話１１に書き込まれている会員番号がメダル預かり払出装置３，５，・・・の会員番号と突き合わされ、１ユーザーが特定される。ＩＤ，ＰＷにより個人認証が完了するとログ・インにより携帯電話１のディスプレイにウェブ・ページが表示される。
【００２８】
ステップＳ４では、「メダル預枚数，有効期限表示」の処理が実行される。この処理では、携帯電話１のディスプレイに表示されたウェブ・ページにメダル預け入れ情報としてメダル預枚数，有効期限表示を自動的に行わせる。但し、ウェブ・ページ上での操作によりメダル預枚数，有効期限表示を行わせることも可能である。
【００２９】
店舗Ａ、店舗Ｂ、・・・側のシステムでは、前記ログ・インによりユーザーのメール・アドレスの取得ができる。このため、入手したメール・アドレスに対し、店舗Ａ、店舗Ｂ、・・・のコマーシャル等をＵＲＬの先頭に出すことができる。また、期限切れ等の案内を顧客に送ることができる。これらにより、ユーザーに適切なサービスを行うことができる。
【００３０】
前記個人認証及び情報送信は、図３の行われる。
【００３１】
まずステップＳ１１では、「ＩＤ，ＰＷ読込」の処理が実行される。この処理では、ユーザーがログ・インのために入力したＩＤ，ＰＷが読み込まれ、ステップＳ２へ移行する。
【００３２】
ステップＳ１２では、「登録ＩＤ，ＰＷと一致？」の処理が実行され、入力されたＩＤ，ＰＷが、記憶されているメダル預かり払出装置３，５，・・・に用いたＩＤ，ＰＷと比較され、一致したとき（ＹＥＳ）個人認証が完了し、ステップＳ１３へ移行する。一致しなければ（ＮＯ）、個人認証ができず、処理は終了する。この場合、ＩＤ，ＰＷの違いを知らせるステップを付加することも可能である。
【００３３】
ステップＳ１３では、「メダル預枚数，有効期限送信」の処理が実行され、前記ログ・インした携帯電話１のディスプレイに表示されたウェブ・ページにメダル預け入れ情報としてメダル預枚数，有効期限表示を行う。
【００３４】
ステップＳ１４では、「コマーシャル等の送信」の処理が実行され、前記ログ・インにより店舗Ａ、店舗Ｂ、・・・側のシステムが取得したメール・アドレスに対し、コマーシャル等を送信する。
【００３５】
［実施例の効果］
以上、ユーザーは、メダル預け入れ情報を携帯電話１１により容易に確認することができる。
【００３６】
携帯電話１１に書き込まれた会員番号とメダル預かり払出装置３，５，・・・に記憶されている会員番号とを突き合わせることで１ユーザーを特定することができる。
【００３７】
２次元バー・コード（ＱＲコード）９を読み取らせてログ・インし、店舗Ａ、店舗Ｂ、・・・側のシステムでは、ログ・インによりユーザーのメール・アドレスの取得ができ、正確なメール・アドレスの取得ができる。
［その他］
店舗Ａ、店舗Ｂ、・・・の識別コードとしては、２次元バーコード（ＱＲコード）９以外に、バー・コード等、識別できるものであれば良い。
【００３８】
前記中継ユニット７は、ウェブ・サーバ１３の負荷を軽くするためのものであり、省略することも可能である。
【００３９】
遊技媒体としては、メダル以外に、パチンコ玉等、貸し出す形式のもであれば、何れでも適用できる。  
【図面の簡単な説明】
【００４０】
【図１】遊戯媒体預け入れモニター・システムの概念図である（実施例１）。
【図２】ユーザー・ログインのフロー・チャートである（実施例１）。
【図３】個人認証及び情報送信のフローチャートである（実施例１）。
【符号の説明】
【００４１】
１  遊技場
３，５，・・・メダル預かり払出装置
９  ２次元バーコード（ＱＲコード）（識別コード）
１１  携帯電話（携帯端末）
１３  ウェブ・サーバ
【図１】
2007075153.tif 000003
【図２】
2007075153.tif 000004
【図３】
2007075153.tif 000005